(57)【要約】本発明は、簡単な工程で経済的に、高い選択率で不飽和カルボニル化合物を水素化して不飽和アルコールを製造することができるカルボニル基に対する水素化用触媒、及びその効率的な製造方法、並びに該水素化用触媒を使用する不飽和アルコールの実用的な製造方法を提供する。  本発明では、酸素を含有するガリウム化合物からなる担体上に触媒成分としてルテニウム等の貴金属を担持して水素化用触媒を構成する。ガリウム化合物としては、オキシ水酸化ガリウム、酸化ガリウム、リン酸ガリウム等を用することができ、これらのガリウム化合物担体上に０．１〜１０重量％のルテニウムが担持された水素化用触媒が好適に用いられる。【特許請求の範囲】
【請求項１】
酸素を含有するガリウム化合物担体上に貴金属が担持されたカルボニル基に対する水素化用触媒。
【請求項２】
酸素を含有するガリウム化合物がオキシ水酸化ガリウム、酸化ガリウム、リン酸ガリウムから選ばれたものであることを特徴とする請求項１に記載の水素化用触媒。
【請求項３】
酸素を含有するガリウム化合物担体上に０．１〜１０重量％のルテニウムが担持されていることを特徴とする請求項１又は２に記載の水素化用触媒。
【請求項４】
さらに０．１〜１０重量％の白金が担持されていることを特徴とする請求項３に記載の水素化用触媒。
【請求項５】
１）酸素を含有するガリウム化合物担体を水中に懸濁させる工程、
２）該懸濁液中に触媒活性成分である貴金属塩の溶液を加える工程、
３）ついで水溶性還元剤を加えて触媒活性成分を還元し、担体上に触媒活性成分を析出させる工程、
を含むことを特徴とする、酸素を含有するガリウム化合物担体上に貴金属が担持されたカルボニル基に対する水素化用触媒の製造方法。
【請求項６】
さらに、
４）担体上に触媒活性成分を析出させた触媒を担体懸濁液の水相から分離する工程、及び５）分離した触媒を乾燥する工程、
を含むことを特徴とする請求項５に記載の水素化用触媒の製造方法。
【請求項７】
工程３）の水溶性還元剤が、メタノール、エタノール、ホルムアルデヒド、ホスフィン酸ナトリウム、ジメチルアミンボラン、水素化ホウ素ナトリウム、水素化ホウ素カリウム、水素化ホウ素リチウム、水素化リチウムアルミニウム又はヒドラジンから選択されたものであることを特徴とする請求項５又は６に記載の水素化用触媒の製造方法。
【請求項８】
工程２）の触媒活性成分がルテニウムの塩化物、硝酸塩、ニトロシル硝酸塩、酸化物、水酸化物、アセチルアセトネート錯体、ピピリジン錯体又はアンミン錯体であることを特徴とする請求項５〜７のいずれかに記載の水素化用触媒の製造方法。
【請求項９】
工程３）で担体上に触媒活性成分としてルテニウムを析出させた後に、３−１）分離した触媒を再び水中に懸濁させる工程、３−２）該懸濁液中に白金塩の溶液を加える工程、及び、３−３）水溶性還元剤を加えて白金塩を還元し、触媒上に更に白金を析出させる工程を含むことを特徴とする請求項８に記載の水素化用触媒の製造方法。
【請求項１０】
請求項１〜４のいずれかに記載された水素化用触媒の存在下に、次の式（１）で表される不飽和カルボニル化合物を水素化することを特徴とする、式（２）で表される不飽和アルコールの製造方法：
【化１】
2007029667.tif 000009
［式中、Ｒ１およびＲ２の各々は、同一であるかあるいは異なり、水素原子、Ｃ１〜Ｃ１０の飽和又は不飽和の脂肪族基、飽和又は不飽和の脂環族基、又は芳香族基を表わし、Ｒ１およびＲ２の少なくとも一方はエチレン系二重結合を含有するか、あるいはＲ１およびＲ２は一緒になってエチレン系不飽和脂環族基を形成し、前記脂肪族基、脂環族基又は芳香族基の各々はＣ１〜Ｃ４のアルキル基、ヒドロキシル基又はＣ１〜Ｃ４のアルコキシ基の１又は２以上の同一又は異なる基で置換されていてもよい］
【請求項１１】
式（１）で表されるカルボニル化合物が、α、β−不飽和カルボニル化合物であることを特徴とする請求項１０に記載の不飽和アルコールの製造方法。
【請求項１２】
式（１）で表されるカルボニル化合物が、シトラールであることを特徴とする請求項１０又は１１に記載の不飽和アルコールの製造方法。
【請求項１３】
不飽和カルボニル化合物を溶媒で希釈せずに水素化することを特徴とする請求項１０〜１２のいずれかに記載の不飽和アルコールの製造方法。
【発明の詳細な説明】
【技術分野】
【０００１】
本発明は、ガリウム化合物担体上にルテニウム（Ｒｕ）、白金（Ｐｔ）等の貴金属が担持されたカルボニル基に対する水素化用触媒、及びその製造方法、並びに該水素化用触媒を使用して不飽和カルボニル化合物を選択的に水素化し、不飽和アルコールを製造する方法に関する。
【背景技術】
【０００２】
ネロール、ゲラニオール等の不飽和アルコールは、合成樹脂、医薬品、香料等として有用な有機化合物を製造するための中間体として重要な化合物である。この不飽和アルコールは、水素化触媒の存在下に、対応する不飽和カルボニル化合物を水素化することによって製造される。【０００３】
従来、不飽和アルコールの製造に使用される水素化触媒としては種々のものが知られており、例えば炭素に担持されたルテニウム／鉄触媒が挙げられる（特許文献１、２参照）。また、水溶性配位子と会合したルテニウム誘導体又はルテニウムと水溶性配位子との錯塩からなる触媒も提案されている（特許文献３、４参照）。
【特許文献１】特開昭５８−２７６４２号公報
【特許文献２】特開２００３−２４５５５号公報
【特許文献３】特許第２５２０４６１号公報
【特許文献４】特許２５４９１５８号公報
【０００４】
しかしながら、特許文献１、２の先行技術は、炭素担体、ルテニウム及び鉄の３成分を使用することを必須の構成とするものであり、触媒の製造が煩雑になる。さらに、不飽和カルボニル化合物から不飽和アルコールへの選択的水素化率を改善するために、メタノール及びトリメチルアミンが触媒反応系に添加され、反応生成物からこれらの成分を分離する後処理工程が必要となる。そして、特許文献３、４の先行技術では、有機溶媒を含む媒質中で水素化反応を行うものであり、コストが高くなる。また、有機溶媒を除去するために、蒸留工程が必要となるといった問題点がある。【０００５】
さらに、触媒担体に、ＶＩＩＩ族から選択された少なくとも１種の金属と、ゲルマニウム、錫、鉛、レニウム、ガリウム、インジウム、金、銀及びタリウムからなる群から選択された少なくとも１種の追加元素Ｍを担持させた触媒も知られている（特許文献５参照）。しかしながら、この水素化触媒は触媒担体を含めて３成分を使用することを必須の構成とするものであり、触媒の製造が煩雑になる。また、この触媒では、その製造方法からみて追加元素Ｍとして使用されるガリウムは、金属の状態で存在するものと考えられる。そして、この触媒を使用して不飽和カルボニル化合物から不飽和アルコールへの選択的水素化を行う際に、不飽和アルコールの選択率を上げるには、ｎ−ヘプタンのような溶媒を用いて原料となる不飽和カルボニル化合物を希釈する必要があり、有機溶媒を除去するために蒸留工程が必要となる。
【特許文献５】ＵＳＰ６，２９４，６９６
【発明の開示】
【発明が解決しようとする課題】
【０００６】
したがって、本発明は上記従来技術の問題点を解消して、簡単な工程で経済的に、高い選択率で不飽和カルボニル化合物を水素化して不飽和アルコールを製造することができるカルボニル基に対する水素化用触媒、及びその効率的な製造方法を提供することを目的とする。本発明は、また、該水素化用触媒を使用する不飽和アルコールの実用的な製造方法を提供することを目的とする。
【課題を解決するための手段】
【０００７】
本発明者等は鋭意検討した結果、ガリウム化合物からなる担体上に触媒成分としてルテニウム、Ｐｔ等の貴金属を担持して水素化用触媒を構成することにより上記課題が解決されることを発見し、本発明を完成したものである。
すなわち、本発明では次の１〜１３の構成を採用する。
１．酸素を含有するガリウム化合物担体上に貴金属が担持されたカルボニル基に対する水素化用触媒。
２．酸素を含有するガリウム化合物がオキシ水酸化ガリウム、酸化ガリウム、リン酸ガリウムから選ばれたものであることを特徴とする１に記載の水素化用触媒。
３．酸素を含有するガリウム化合物担体上に０．１〜１０重量％のルテニウムが担持されていることを特徴とする１又は２に記載の水素化用触媒。
４．さらに０．１〜１０重量％の白金が担持されていることを特徴とする３に記載の水素化用触媒。
５．１）酸素を含有するガリウム化合物担体を水中に懸濁させる工程、
２）該懸濁液中に触媒活性成分である貴金属塩の溶液を加える工程、
３）ついで水溶性還元剤を加えて触媒活性成分を還元し、担体上に触媒活性成分を析出させる工程、
を含むことを特徴とする、酸素を含有するガリウム化合物担体上に貴金属が担持されたカルボニル基に対する水素化用触媒の製造方法。
６．さらに、
４）担体上に触媒活性成分を析出させた触媒を担体懸濁液の水相から分離する工程、及び５）分離した触媒を乾燥する工程、
を含むことを特徴とする５に記載の水素化用触媒の製造方法。
７．工程３）の水溶性還元剤が、メタノール、エタノール、ホルムアルデヒド、ホスフィン酸ナトリウム、ジメチルアミンボラン、水素化ホウ素ナトリウム、水素化ホウ素カリウム、水素化ホウ素リチウム、水素化リチウムアルミニウム又はヒドラジンから選択されたものであることを特徴とする５又は６に記載の水素化用触媒の製造方法。
８．工程２）の触媒活性成分がルテニウムの塩化物、硝酸塩、ニトロシル硝酸塩、酸化物、水酸化物、アセチルアセトネート錯体、ピピリジン錯体又はアンミン錯体であることを特徴とする５〜７のいずれかに記載の水素化用触媒の製造方法。
９．工程３）で担体上に触媒活性成分としてルテニウムを析出させた後に、３−１）分離した触媒を再び水中に懸濁させる工程、３−２）該懸濁液中に白金塩の溶液を加える工程、及び、３−３）水溶性還元剤を加えて白金塩を還元し、触媒上に更に白金を析出させる工程を含むことを特徴とする８に記載の水素化用触媒の製造方法。
１０．１〜４のいずれかに記載された水素化用触媒の存在下に、次の式（１）で表される不飽和カルボニル化合物を水素化することを特徴とする、式（２）で表される不飽和アルコールの製造方法：
【化１】
2007029667.tif 000002
［式中、Ｒ１およびＲ２の各々は、同一であるかあるいは異なり、水素原子、Ｃ１〜Ｃ１０の飽和又は不飽和の脂肪族基、飽和又は不飽和の脂環族基、又は芳香族基を表わし、Ｒ１およびＲ２の少なくとも一方はエチレン系二重結合を含有するか、あるいはＲ１およびＲ２は一緒になってエチレン系不飽和脂環族基を形成し、前記脂肪族基、脂環族基又は芳香族基の各々はＣ１〜Ｃ４のアルキル基、ヒドロキシル基又はＣ１〜Ｃ４のアルコキシ基の１又は２以上の同一又は異なる基で置換されていてもよい］
１１．式（１）で表されるカルボニル化合物が、α、β−不飽和カルボニル化合物であることを特徴とする１０に記載の不飽和アルコールの製造方法。
１２．式（１）で表されるカルボニル化合物が、シトラールであることを特徴とする１０又は１１に記載の不飽和アルコールの製造方法。
１３．不飽和カルボニル化合物を溶媒で希釈せずに水素化することを特徴とする１０〜１２のいずれかに記載の不飽和アルコールの製造方法。
【発明の効果】
【０００８】
カルボニル基に対する水素化用触媒として、酸素を含有するガリウム化合物を担体として使用することは新規であり、本発明はつぎのような顕著な効果を奏する。
１）本発明の水素化触媒は、基本的に酸素を含有するガリウム化合物からなる担体とルテニウムの２成分からなるものであり、製造が簡単で低コストで製造することができる。
２）本発明の新規触媒を使用することによって、不飽和カルボニル化合物を高い選択率で水素化して不飽和アルコールを製造することができる。
３）溶媒や助剤を使用せずに不飽和アルコールを製造することができるので、不飽和アルコールの製造工程が簡単なものとなり、コストを大幅に低下させることが可能となる。
【図面の簡単な説明】
【０００９】
【図１】実施例１で得られたオキシ水酸化ガリウム担体の電子顕微鏡写真である。
【図２】実施例２で得られた酸化ガリウム担体の電子顕微鏡写真である。
【図３】実施例３で得られたガリウムリン酸塩担体の電子顕微鏡写真である。
【発明を実施するための最良の形態】
【００１０】
本発明では、酸素を含有するガリウム化合物担体上に触媒成分としてルテニウム等の貴金属を担持させて、カルボニル基に対する水素化用触媒を構成する。ガリウム化合物に対する触媒成分の担持量は、０．１〜１０重量％、特に１〜３重量％とすることが好ましい。【００１１】
担体として使用する酸素を含有するガリウム化合物に特に制限はないが、好ましいガリウム化合物としては、オキシ水酸化ガリウム、酸化ガリウム、リン酸ガリウム等が挙げられる。これらのガリウム化合物は、水素化触媒を製造する際に定法により調製してもよいが、市販品を使用することもできる。また、多孔質シリカのような他の担体の表面に、ガリウム化合物をコーティングしたものを担体として使用することもできる。担体の形状やサイズには特に制限はないが、通常は１〜３０μｍ程度の微粒子状、又はフレーク状、或いは多孔質体が使用される。
金属ガリウムを担体としてルテニウム等を担持した場合には、金属ガリウムの融点が２９．８℃であることから、カルボニル化合物の水素化条件下ではガリウムが溶けてしまい、凝集が激しく生じて触媒として機能しなくなる。本発明では、酸素を含むガリウム化合物を担体として使用することによって、このような問題点を解消したものである。【００１２】
以下、触媒活性成分としてルテニウムを使用する場合を例にとり、本発明のカルボニル基に対する水素化用触媒について説明する。
本発明の水素化触媒は、例えば次の手順により製造することができる。
１）酸素を含有するガリウム化合物担体を水中に懸濁させる工程、
２）該懸濁液中に触媒活性成分であるルテニウムの金属塩溶液を加える工程、
３）ついで水溶性還元剤を加えて触媒活性成分を還元し、担体上に触媒活性成分を析出させる工程。
上記の工程３）に代えて、３’）触媒活性成分を加えた担体懸濁液を蒸発乾固させ、２００〜５００℃で空気中で焼成後、水素気流中で２００〜６００℃で還元する工程、を採用することもできる。【００１３】
また、通常は上記の工程の後に、
４）担体上に触媒活性成分を析出させた触媒を担体懸濁液の水相から分離する工程、及び
５）分離した触媒を乾燥する工程、
が採用される。【００１４】
上記工程２）の触媒活性成分としては、ルテニウムの塩化物、硝酸塩、ニトロシル硝酸塩、酸化物、水酸化物、アセチルアセトネート錯体、ピピリジン錯体又はアンミン錯体等が用いられる。これらの触媒成分は、通常水溶液として担体懸濁液中に加えられる。また、触媒活性成分とともに、リチウム、ナトリウム、カリウム、ルビジウム及びセシウムの塩化物、硝酸塩、炭酸塩等の、アルカリ金属塩を加えてもよい。【００１５】
上記工程３）の水溶性還元剤としては、例えばメタノール、エタノール、ホルムアルデヒド、ホスフィン酸ナトリウム、ジメチルアミンボラン、水素化ホウ素ナトリウム、水素化ホウ素カリウム、水素化ホウ素リチウム、水素化リチウムアルミニウム又はヒドラジン等が挙げられる。これらは単独で、又は２種以上を組合わせて使用することができる。【００１６】
また、工程３）で担体上に触媒活性成分としてルテニウムを析出させた後に、３−１）分離した触媒を再び水中に懸濁させる工程、３−２）該懸濁液中に白金塩の溶液を加える工程、及び、３−３）水溶性還元剤を加えて白金塩を還元し、触媒上に更に白金を析出させる工程を採用し、触媒成分としてルテニウム及び白金を担持した水素化用触媒を製造してもよい。このような触媒は、一段と高い触媒活性を発揮することができる。【００１７】
つぎに、担体として酸化ガリウム、オキシ水酸化ガリウム及びガリウムリン酸塩を使用して、本発明の水素化触媒を製造する例についてさらに詳細に説明するが、以下の具体例は本発明を限定するものではない。【００１８】
（ルテニウム／酸化ガリウム触媒の製造）
硝酸ガリウムをエタノールに加え溶解し、攪拌しながら、アンモニア水溶液を滴下しｐＨを上昇させて、ｐＨ５〜６の範囲を保ち１〜３時間攪拌を続け、水酸化ガリウムのゲル状の沈殿を得る。得られた水酸化ガリウムの沈殿を吸引濾過し、大気中で５００℃〜８００℃の温度で焼成することにより、酸化ガリウム担体を得る。
また、市販されている酸化ガリウムを担体として用いることもできる。【００１９】
得られた酸化ガリウム担体を蒸留水中に懸濁させ［工程１）］、活性成分であるルテニウムを金属塩溶液の形態で加え、３０分〜１時間攪拌する［工程２）］。次に、懸濁液の温度を室温〜７０℃として、水溶性還元剤をゆっくり加え、活性成分であるルテニウムの担持および還元を同時に行う［工程３）］。
次に、この懸濁溶液を吸引濾過し、ルテニウム／酸化ガリウム触媒を水相から分離し［工程４）］、イソプロピルアルコールまたはエタノールを用いて洗浄を行い、大気中室温で乾燥を行う［工程５）］。
上記の工程２）において、アルカリ金属塩及びランタノイド金属塩を同時に、又はそれぞれ加えることができる。
また、液相還元を用いる前述の方法の代替法として、触媒活性成分を加えた担体懸濁液を蒸発乾固させ、その成分を２００℃〜５００℃の温度で空気中で焼成した後、水素気流中２００℃〜６００℃で還元する方法を採用してもよい。【００２０】
（ルテニウム／ガリウムリン酸塩触媒の製造）
蒸留水中に硝酸ガリウムを溶解させ、この溶液にリン酸を加え攪拌し、アンモニア水溶液を滴下することによりｐＨを上昇させ、ｐＨ４〜６の範囲で１〜３時間攪拌し、白色沈殿を得る。沈殿を吸引濾過し、１００〜２００℃の温度で乾燥し、大気中８００℃〜１２００℃の温度で焼成することによりガリウムリン酸塩担体を得る。【００２１】
得られたガリウム担体を蒸留水中に懸濁させ［工程１）］、活性成分であるルテニウムを金属塩溶液の形態で加え、３０分〜１時間攪拌する［工程２）］。次に、懸濁液の温度を室温〜７０℃として、水溶性還元剤をゆっくり加え、活性成分であるルテニウムの担持および還元を同時に行う［工程３）］。
次に、この懸濁溶液を吸引濾過し、ルテニウム／ガリウムリン酸塩触媒を水相から分離し［工程４）］、イソプロピルアルコールまたはエタノールを用いて洗浄を行い、大気中室温で乾燥を行う［工程５）］。【００２２】
上記の工程２）において、アルカリ金属塩及びランタノイド金属塩を同時に、又はそれぞれ加えることができる。
また、液相還元を用いる前述の方法の代替法として、触媒活性成分を加えた担体懸濁液を蒸発乾固させ、その成分を２００℃〜５００℃の温度で空気中で焼成した後、水素気流中２００℃〜６００℃で還元する方法を採用してもよい。【００２３】
（ルテニウム／オキシ水酸化ガリウム触媒の製造）
硝酸ガリウム水溶液にアンモニアか、尿素か、あるいは、ヘキサメチレンテトラミンを加え、液温２０℃〜５０℃で一晩の間攪拌する。さらに、７０℃〜９０℃の液温で２時間攪拌することにより、白色沈殿を得る。沈殿を冷却濾過し、イソプロピルアルコールまたはエタノールを用いて洗浄した後、室温〜３５０℃で乾燥することによりオキシ水酸化ガリウム担体が得られる。
また、硝酸ガリウムを乳鉢で粉砕し、大気中で２００〜４００℃の温度範囲で５〜２０時間焼成することによりδ−酸化ガリウムを得、このδ−酸化ガリウムを蒸留水と混合し、オートクレーブ中で１５０〜３００℃の温度範囲で２４〜４８時間水熱合成を行うことにより、オキシ水酸化ガリウム担体が得られる。
さらに、市販されているオキシ水酸化ガリウムを担体として用いることもできる。【００２４】
得られたオキシ水酸化ガリウム担体を蒸留水中に懸濁させ［工程１）］、活性成分であるルテニウムを金属塩溶液の形態で加え、３０分〜１時間攪拌する［工程２）］。次に、懸濁液の温度を室温〜７０℃として、水溶性還元剤をゆっくり加え、活性成分であるルテニウムの担持および還元を同時に行う［工程３）］。
次に、この懸濁溶液を吸引濾過し、ルテニウム／オキシ水酸化ガリウム触媒を水相から分離し［工程４）］、イソプロピルアルコールまたはエタノールを用いて洗浄を行い、大気中室温で乾燥を行う［工程５）］。【００２５】
上記の工程２）において、アルカリ金属塩及びランタノイド金属塩を同時に、又はそれぞれ加えることができる。
また、液相還元を用いる前述の方法の代替法として、触媒活性成分を加えた担体懸濁液を蒸発乾固させ、その成分を２００℃〜５００℃の温度で空気中で焼成した後、水素気流中２００℃〜６００℃で還元する方法を採用してもよい。
本発明の水素化触媒は、基本的に酸素を含有するガリウム化合物からなる担体とルテニウムの２成分からなるものであり、製造が簡単で低コストで製造することができる。【００２６】
本発明のカルボニル基に対する水素化触媒を使用することによって、次の式（１）で表される不飽和カルボニル化合物を選択的に水素化し、式（２）で表される不飽和アルコールを効率良く製造することができる。【００２７】
【化２】
2007029667.tif 000003
【００２８】
［式中、Ｒ１およびＲ２の各々は、同一であるかあるいは異なり、Ｃ１〜Ｃ１０の水素原子、飽和又は不飽和の脂肪族基、飽和又は不飽和の脂環族基、又は芳香族基を表わし、Ｒ１およびＲ２の少なくとも一方はエチレン系二重結合を含有するか、あるいはＲ１およびＲ２は一緒になってエチレン系不飽和脂環族基を形成し、前記脂肪族基、脂環族基又は芳香族基の各々はＣ１〜Ｃ４のアルキル基、ヒドロキシル基又はＣ１〜Ｃ４のアルコキシ基の１又は２以上の同一又は異なる基で置換されていてもよい］【００２９】
Ｒ１およびＲ２の具体例としては、例えば水素；メチル、エチル、プロピル、イソプロピル、ｎ−ブチル、ｉ−ブチル、ｔ−ブチル、ペンチル、ヘキシル、ヘプテニル、オクチル、ノニル、デシル；１−プロペニル、２−プロペニル、２−メチル−２−プロペニル、１−ペンテニル、１−メチル−２−ペンテニル、イソプロペニル、１−ブテニル、ヘキセニル、オクテニル、ノネニルまたはデセニル；ベンジル、フェニルまたはナフチル；等が挙げられる。これらの各々は、Ｃ１〜Ｃ４のアルキル基、ヒドロキシル基又はＣ１〜Ｃ４のアルコキシ基の１又は２以上の同一又は異なる基で置換されていてもよい。【００３０】
式（１）で表される、好ましい不飽和カルボニル化合物としては、例えばシトロネラール、Ｈ−ゲラニルアセトン、Ｈ−ネロリドール、メチルビニルケトン、メシチルオキサイド、プソイドイオノン、ジヒドロファルネシルアセトン、リスメラール、メチルへキセノン等が挙げられる。特に好ましい不飽和カルボニル化合物としては、シトロネラールまたは、アクロレイン、メタアクロレイン、クロトンアルデヒド、プレナール、ファルネサールもしくはシトラール等のα、β−不飽和カルボニル化合物が挙げられる。これらの中でも、シトラールが一段と好ましい。【００３１】
シトラールには、次の式（３）で表されるシトラールＡ（トランス体）及び式（４）で表されるシトラールＢ（シス体）があり、そのカルボニル基を選択的に水素化すると、目的とする式（５）で表されるゲラニオール、式（６）で表されるネロールのほかに、副生物として式（７）のシトロネラール、式（８）のシトロネロール、さらには式（９）のテトラヒドロゲラニオール等が生成する。【００３２】
【化３】
2007029667.tif 000004
【００３３】
本発明の水素化触媒を使用した場合には、従来の水素化触媒で必要とされる原料を希釈するための溶媒や、トリメチルアミン等の添加剤を使用せずに、高い選択率でアルデヒド基のみを水素化することができる。また、副生物の生成を抑制して、高収率で目的とする、ゲラニオールやネロールを得ることができる。したがって、目的とする生成物の分離や精製を簡単に行うことができるので、生成物の製造コストを大幅に低下させることが可能となる。
【実施例】
【００３４】
以下、実施例により本発明をさらに説明するが、これらの具体例は本発明を限定するものではない。
（実施例１：ルテニウム／オキシ水酸化ガリウム触媒の製造）
１Ｌのセパラブルフラスコに蒸留水５００ｍＬを加え、硝酸ガリウム１３．６４ｇを溶解した。この溶液にヘキサメチレンテトラミン７０．１３ｇを加え、室温で１２時間攪拌した後、９０℃で２時間攪拌した。溶液を冷却後、得られた沈殿を吸引濾過し、イソプロピルアルコールで沈殿の洗浄を行った後、大気中で３００℃で乾燥し、オキシ水酸化ガリウム担体を得た。得られたオキシ水酸化ガリウム担体の電子顕微鏡写真を図１に示す。
このオキシ水酸化ガリウム２．０ｇを２００ｍＬの蒸留水中に懸濁させ、塩化ルテニウム０．１３１４ｇを加え攪拌した。水素化ホウ素ナトリウム２ｇを蒸留水５０ｍＬに溶解した溶液をゆっくり滴下し、２時間攪拌を続け液相還元を行い、２．５重量％のルテニウムの担持を行った。
つぎに、ルテニウムを担持した触媒懸濁液を吸引濾過し、蒸留水およびエタノールを用いて触媒の洗浄を行い、大気中で室温で乾燥させ、ルテニウム／オキシ水酸化ガリウム触媒を得た。【００３５】
（実施例２：ルテニウム／酸化ガリウム触媒の製造）
５００ｍＬのビーカーにエタノール２００ｍＬを加え、硝酸ガリウム１３．７ｇを溶解した。この溶液にアンモニア水溶液を滴下し、溶液のｐＨを５．２に上昇させた。室温で２時間攪拌し、ゲル状の水酸化ガリウムの沈殿を得た。得られた沈殿を吸引濾過し、大気中で８００℃で焼成し、酸化ガリウム担体を得た。得られた酸化ガリウム担体の電子顕微鏡写真を図２に示す。
この酸化ガリウム１．５ｇを３０ｍＬのエタノールに懸濁させ、ルテニウムアセチルアセトネート錯体０．１４８ｇを加え、６０℃で３時間攪拌した。懸濁液を蒸発乾固させ空気中１５０℃で加熱した後、水素気流中で４００℃で還元処理することにより、２．５重量％のルテニウムを担持したルテニウム／酸化ガリウム触媒を得た。【００３６】
（実施例３：ルテニウム／ガリウムリン酸塩触媒の製造）
５００ｍＬのビーカーに蒸留水２００ｍＬを加え、硝酸ガリウム１５．５ｇを溶解した。この溶液にリン酸を４．８ｇ加え攪拌した。この溶液にアンモニア水溶液を滴下し、溶液のｐＨを５．０に上昇させた。攪拌を１時間行い、白色沈殿を得た。沈殿を吸引濾過し、大気中で１６０℃で２時間加熱し、大気中で１０００℃で焼成を行い、ガリウムリン酸塩担体を得た。得られたガリウムリン酸塩担体の電子顕微鏡写真を図３に示す。
このガリウムリン酸塩１．５ｇを３０ｍＬのエタノールに懸濁させ、塩化ルテニウム０．０９８６ｇおよび硝酸ルビジウム０．０２６ｇを加え、６０℃で３時間攪拌した。懸濁液を蒸発乾固させ空気中１５０℃で１時間加熱した後、水蒸気流中で４００℃で還元処理することにより、２．５重量％のルテニウムを担持したルテニウム／ガリウムリン酸塩触媒を得た。【００３７】
（実施例４：シトラールの選択的水素化）
実施例１で得られた触媒粉末２ｇを容積２００ｍＬのオートクレーブに導入し、これに１３０ｍＬのシトラールを添加した。オートクレーブを密封した後、攪拌しながら１ＭＰａの圧力で窒素ガスを導入および排気を３回繰り返した後、窒素ガスを１．３ＭＰａの水素ガスで置換し、１２０℃まで加熱した。水素化中、一定の時間間隔で反応容器からサンプルを採取してガスクロマトグラフィーにより分析した。
シトラールの転換率及び該転換率において生成するネロール／ゲラニオールの選択率、並びに副生物を表１に示す。【００３８】
【表１】
2007029667.tif 000005
【００３９】
（実施例５）
実施例２で得られた触媒粉末１．５ｇを容積１００ｍＬのオートクレーブに導入し、これに６５ｍＬのシトラールを添加した。オートクレーブを密封した後、攪拌しながら１ＭＰａの圧力で窒素ガスを導入および排気を３回繰り返した後、窒素ガスを１．３ＭＰａの水素ガスで置換し、１２０℃まで加熱した。水素化中、一定の時間間隔で反応容器からサンプルを採取してガスクロマトグラフィーにより分析した。
シトラールの転換率及び該転換率において生成するネロール／ゲラニオールの選択率、並びに副生物を表２に示す。【００４０】
【表２】
2007029667.tif 000006
【００４１】
（実施例６）
実施例３で得られた触媒粉末１．５ｇを容積１００ｍＬのオートクレーブに導入し、これに６５ｍＬのシトラールを添加した。オートクレーブを密封した後、攪拌しながら１ＭＰａの圧力で窒素ガスを導入および排気を３回繰り返した後、窒素ガスを１．３ＭＰａの水素ガスで置換し、１２０℃まで加熱した。水素化中、一定の時間間隔で反応容器からサンプルを採取してガスクロマトグラフィーにより分析した。
シトラールの転換率及び該転換率において生成するネロール／ゲラニオールの選択率、並びに副生物を表３に示す。【００４２】
【表３】
2007029667.tif 000007
【００４３】
（実施例７）
実施例１の手順で作製したオキシ水酸化ガリウム２．０ｇを２００ｍＬの蒸留水中に懸濁させ、塩化ルテニウム０．１３４ｇを加え攪拌した。水素化ホウ素ナトリウム２ｇを蒸留水５０ｍＬ中に溶解した溶液をゆっくり適下し、２時間攪拌を続け液相還元を行い、２．５重量％のルテニウム担持を行った。ルテニウムを担持した触媒懸濁溶液を吸引濾過し、蒸留水およびエタノールを用いて触媒の洗浄を行った。この触媒を再び２００ｍＬの蒸留水中に懸濁させ、この懸濁溶液に塩化白金（ＩＶ）酸六水和物を０．１３３ｇ溶解した。ついで、水素化ホウ素ナトリウム２ｇを蒸留水５０ｍＬ中に溶解した溶液をゆっくり滴下し、２時間攪拌を続け液相還元を行い、２．５重量％のルテニウムを担持したオキシ水酸化ガリウム触媒に、さらに２．５重量％のプラチナを担持した。この触媒懸濁溶液を吸引濾過し、蒸留水およびエタノールを用いて触媒の洗浄を行ったあと空気中で乾燥させることにより触媒成分としてルテニウム及び白金を含有する触媒とした。【００４４】
（実施例８）
実施例７で得られた触媒粉末２ｇを容積２００ｍＬのオートクレーブに導入し、これに１３０ｍＬのシトラールを添加した。オートクレーブを密封した後、攪拌しながら１ＭＰａの圧力で窒素ガスを導入および排気を３回繰り返した後、窒素ガスを１．３ＭＰａの水素ガスで置換し、１２０℃まで加熱した。水素化中、一定の時間間隔で反応容器からサンプルを採取してガスクロマトグラフィーにより分析した。
シトラールの転換率及び該転換率において生成するネロール／ゲラニオールの選択率、並びに副生物を表４に示す。【００４５】
【表４】
2007029667.tif 000008
【００４６】
以上、本発明として、ガリウム化合物担体上にルテニウムが担持されたカルボニル基に対する水素化用触媒について説明したが、本発明では触媒活性成分としてＰｔ、Ｒｈ、Ｉｒ等の貴金属、或いはＣｏ等を使用することができる。
例えば、触媒活性成分としてＰｔを使用した場合には、同じ反応時間で比較するとルテニウムに比べてシトラールの転換率は減少するが、ネロール／ゲラニオールの選択率は１００％となる。したがって、用途に応じて、触媒活性成分として他の貴金属を選択することができる。【００４７】
（実施例９：Ｐｔ／オキシ水酸化ガリウム触媒の製造）
オキシ水酸化ガリウム２．０ｇを２００ｍＬの蒸留水に懸濁させ、塩化白金酸０．１３３ｇを加えて攪拌した。水素化ホウ素ナトリウム２ｇを蒸留水５０ｍＬに溶解した溶液をゆっくり滴下し、２時間攪拌を続けて液相還元を行ない、２．５重量％のＰｔの担持を行った。
つぎに、Ｐｔを担持した触媒懸濁液を吸引濾過し、蒸留水及びエタノールを用いて触媒の洗浄を行い、大気中で室温で乾燥させて、Ｐｔ／オキシ水酸化ガリウム触媒を得た。
触媒活性成分としては、塩化白金酸に代えて、塩化第一白金アンモニウム、塩化第二白金アンモニウム等を用いることができる。【００４８】
（実施例１０）
実施例９で得られた触媒粉末２ｇを容積２００ｍＬのオートクレーブに導入し、これに１３０ｍＬのシトラールを添加した。オートクレーブを密封した後、攪拌しながら１ＭＰａの圧力で窒素ガスを導入および排気を３回繰り返した後、窒素ガスを１．３ＭＰａの水素ガスで置換し、１２０℃まで加熱した。水素化中、一定の時間間隔で反応容器からサンプルを採取してガスクロマトグラフィーにより分析した。
反応時間６時間において、シトラールの転換率は９．８％であり、ネロール／ゲラニオールの選択率は１００％であった。
【図１】
2007029667.tif 000010
【図２】
2007029667.tif 000011
【図３】
2007029667.tif 000012
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
オキシ水酸化ガリウム及びリン酸ガリウムから選ばれたガリウム化合物担体上に貴金属が担持されたカルボニル基に対する水素化用触媒。
【請求項２】
（削除）
【請求項３】
ガリウム化合物担体上に０．１〜１０重量％のルテニウムが担持されていることを特徴とする請求項１に記載の水素化用触媒。
【請求項４】
さらに０．１〜１０重量％の白金が担持されていることを特徴とする請求項３に記載の水素化用触媒。
【請求項５】
１）オキシ水酸化ガリウム及びリン酸ガリウムから選ばれたガリウム化合物担体を水中に懸濁させる工程、
２）該懸濁液中に触媒活性成分である貴金属塩の溶液を加える工程、
３）ついで水溶性還元剤を加えて触媒活性成分を還元し、担体上に触媒活性成分を析出させる工程、
を含むことを特徴とする、オキシ水酸化ガリウム及びリン酸ガリウムから選ばれたガリウム化合物担体上に貴金属が担持されたカルボニル基に対する水素化用触媒の製造方法。
【請求項６】
さらに、
４）担体上に触媒活性成分を析出させた触媒を担体懸濁液の水相から分離する工程、及び
５）分離した触媒を乾燥する工程、
を含むことを特徴とする請求項５に記載の水素化用触媒の製造方法。
【請求項７】
工程３）の水溶性還元剤が、メタノール、エタノール、ホルムアルデヒド、ホスフィン酸ナトリウム、ジメチルアミンボラン、水素化ホウ素ナトリウム、水素化ホウ素カリウム、水素化ホウ素リチウム、水素化リチウムアルミニウム又はヒドラジンから選択されたものであることを特徴とする請求項５又は６に記載の水素化用触媒の製造方法。
【請求項８】
工程２）の触媒活性成分がルテニウムの塩化物、硝酸塩、ニトロシル硝酸塩、酸化物、水酸化物、アセチルアセトネート錯体、ピピリジン錯体又はアンミン錯体であることを特徴とする請求項５〜７のいずれかに記載の水素化用触媒の製造方法。
【請求項９】
工程３）で担体上に触媒活性成分としてルテニウムを析出させた後に、３−１）分離した触媒を再び水中に懸濁させる工程、３−２）該懸濁液中に白金塩の溶液を加える工程、及び、３−３）水溶性還元剤を加えて白金塩を還元し、触媒上に更に白金を析出させる工程を含むことを特徴とする請求項８に記載の水素化用触媒の製造方法。
【請求項１０】
請求項１、３又は４のいずれかに記載された水素化用触媒の存在下に、次の式（１）で表される不飽和カルボニル化合物を水素化することを特徴とする、式（２）で表される不飽和アルコールの製造方法：
【化１】
2007029667.tif 000013
［式中、Ｒ１およびＲ２の各々は、同一であるかあるいは異なり、水素原子、Ｃ１〜Ｃ１０の飽和又は不飽和の脂肪族基、飽和又は不飽和の脂環族基、又は芳香族基を表わし、Ｒ１およびＲ２の少なくとも一方はエチレン系二重結合を含有するか、あるいはＲ１およびＲ２は一緒になってエチレン系不飽和脂環族基を形成し、前記脂肪族基、脂環族基又は芳香族基の各々はＣ１〜Ｃ４のアルキル基、ヒドロキシル基又はＣ１〜Ｃ４のアルコキシ基の１又は２以上の同一又は異なる基で置換されていてもよい］
【請求項１１】
式（１）で表されるカルボニル化合物が、α、β−不飽和カルボニル化合物であることを特徴とする請求項１０に記載の不飽和アルコールの製造方法。
【請求項１２】
式（１）で表されるカルボニル化合物が、シトラールであることを特徴とする請求項１０又は１１に記載の不飽和アルコールの製造方法。
【請求項１３】
不飽和カルボニル化合物を溶媒で希釈せずに水素化することを特徴とする請求項１０〜１２のいずれかに記載の不飽和アルコールの製造方法。
【国際調査報告】
2007029667.tif 000014
2007029667.tif 000015
2007029667.tif 000016
2007029667.tif 000017